(57)【要約】【課題】冷却負荷に供給される冷水の温度を一定化して冷水収容タンクを不要とし、吸着剤の保管設備を簡単、小型化し、さらには吸着剤熱交換器モジュールの製作工数を低減可能として、小型で低コストの吸着式冷凍機及びその運転方法を提供する。【解決手段】吸着剤と冷媒との間の可逆反応に伴う発熱、吸熱現象を利用し、温水等の温熱源から供給される温熱を熱源として冷熱を発生させる吸着式冷凍機において、前記吸着剤に冷媒を吸着して冷媒付着吸着剤を形成せしめる吸着槽と、該吸着槽とは別個に設置されて前記冷媒付着吸着剤の冷媒と吸着剤とを分離せしめる脱着槽と、前記吸着槽と脱着槽とを接続し該吸着槽と脱着槽との間において前記吸着剤を循環させる搬送管路とを備えてなることを特徴とする。【選択図】      図１
2004232928.tif 000002
【特許請求の範囲】
【請求項１】
固体の吸着剤と冷媒との間の可逆反応に伴う発熱、吸熱現象を利用し、温水等の温熱源から供給される温熱を熱源として冷熱を発生させる吸着式冷凍機において、前記吸着剤に冷媒を吸着して冷媒付着吸着剤を形成せしめる吸着槽と、該吸着槽とは別個に設置されて前記冷媒付着吸着剤の冷媒と吸着剤とを分離せしめる脱着槽と、前記吸着槽と脱着槽とを接続し該吸着槽と脱着槽との間において前記吸着剤を循環させる搬送管路とを備えてなることを特徴とする吸着式冷凍機。
【請求項２】
蒸発器にて蒸発した低圧冷媒蒸気を前記吸着槽に導く低圧冷媒管路と、前記脱着槽にて吸着剤と分離せしめられた高圧冷媒蒸気を凝縮器に導く高圧冷媒管路とを備えてなることを特徴とする請求項１記載の吸着式冷凍機。
【請求項３】
前記吸着槽と脱着槽とを接続する搬送管路を、前記冷媒付着吸着剤を該吸着槽から脱着槽へ搬送する吸着剤搬入管路と、前記冷媒と分離した吸着剤を脱着槽から吸着槽へ戻す吸着剤戻し管路とにより構成し、前記吸着剤搬入管路を前記吸着槽内から前記脱着槽内に分離反応用の温水を供給する温水供給路と兼用するとともに、前記吸着剤戻し管路を前記脱着槽内から前記吸着槽内に吸着反応用の冷却水を供給する冷却水供給路と兼用したことを特徴とする請求項１記載の吸着式冷凍機。
【請求項４】
前記搬送管路に設けられて該搬送管路を流動する前記冷媒付着吸着剤の搬送量を調整する搬送量調整弁と、蒸発器において前記冷媒の蒸発により冷熱を供給される冷水の温度を検出する冷水温度検出器と、該冷水温度検出器からの前記冷水の温度検出値に基づき前記搬送量調整弁の開度を制御するコントローラとを備えてなることを特徴とする請求項１記載の吸着式冷凍機。
【請求項５】
固体の吸着剤と冷媒との間の可逆反応に伴う発熱、吸熱現象を利用し、温水等の温熱源から供給される温熱を熱源として冷熱を発生させる吸着式冷凍機の運転方法において、吸着槽にて前記吸着剤に冷媒を吸着して冷媒付着吸着剤を形成し、該冷媒付着吸着剤を搬送流体により脱着槽に搬送し、該脱着槽において冷媒付着吸着剤の冷媒と吸着剤との分離を行うことを特徴とする吸着式冷凍機の運転方法。
【請求項６】
前記搬送流体として、水よりも蒸発圧力が高く、かつ吸着剤に吸着されない性質を有する高分子体の流体を用いることを特徴とする請求項５記載の吸着式冷凍機の運転方法。
【請求項７】
蒸発器において前記冷媒の蒸発により冷熱を供給される冷水の温度を検出し、該冷水温度の検出値により前記冷媒付着吸着剤の搬送量を制御することを特徴とする請求項５記載の吸着式冷凍機の運転方法。
【発明の詳細な説明】
【０００１】
【発明の属する技術分野】
本発明は、空調用、工場プロセス用等の冷水を発生させる吸着式冷凍機に適用され、吸着槽にて冷媒を吸着剤に吸着し、該吸着剤を吸着槽とは別個に設けられた脱着槽に搬送して該脱着槽にて吸着剤から冷媒を脱着するようにした吸着式冷凍機及び吸着剤の搬送方法に関する。
【０００２】
【従来の技術】
廃熱等の熱源を利用して冷水を発生させる冷水発生装置として、塩化リチウム等の液状吸湿剤を使用する吸収式冷凍機や、シリカゲル、ゼオライト、活性炭等の固体吸着剤を使用する吸着式冷凍機がある。
図２は、かかる吸着式冷凍機の１例として特許文献１（特開平５−２７２８３３号公報）にて提供されている吸着式冷凍機の全体構成図である。
【０００３】
図２において、１は真空容器で、仕切板２で区画された２室内に吸着剤熱交換器３ａ，３ｂを設置している。該吸着剤熱交換器３ａ，３ｂは伝熱管の伝熱面にシリカゲル、ゼオライト、活性炭等の固体吸着剤を充填した構成である。該吸着剤熱交換器３ａ，３ｂの伝熱管に接続される供給管は、４つの切換弁８ａ、８ｂ、９ａ、９ｂを備えた切換機構５を介して冷却水供給系統６及び温水供給系統７に接続している。
１０は冷水系統１２に連なる伝熱管１３を備えた蒸発器、１１は冷却水供給系統６に連なる伝熱管１４を備えた凝縮器であり、該蒸発器１０及び凝縮器１１はそれぞれ冷媒蒸気経路を介して前記吸着剤熱交換器３ａ，３ｂに接続されている。また前記蒸発器１０と凝縮器１１との間には、膨張弁１５が介装された冷媒供給管１６を設置している。
【０００４】
かかる吸着式冷凍機の運転時において、図２は吸着剤熱交換器３ａを吸着器、吸着剤熱交換器３ｂを再生器として動作させているバッチサイクルの運転状態を示しており、冷却水供給系統６に対応する切換弁８ａ、８ｂは吸着器としての吸着剤熱交換器３ａ側に切り換えられ、温水供給系統７に対応する切換弁９ａ、９ｂは再生器（脱着器）としての吸着剤熱交換器３ｂ側に切り換えられている。また、吸着剤熱交換器３ａ側の開閉弁１７ａは閉、制御弁１８ａは開となっており、吸着剤熱交換器３ｂ側の開閉弁１７ｂは開、制御弁１８ｂは閉となっている。
１９はコントローラで、前記切換弁８ａ、８ｂ、９ａ、９ｂを切換制御するとともに、開閉弁１７ａ、１７ｂ、制御弁１８ａ、１８ｂを開閉制御するものである。
【０００５】
かかるバッチサイクルにおいて、再生器（脱着器）としての吸着剤熱交換器３ｂ内における水を吸着している吸着剤は、温水供給系統７から切換弁９ａ、９ｂを経て伝熱管に供給される温水により加熱されて脱着反応用の熱が与えられ、該吸着剤と水とが脱着して冷媒蒸気を発生せしめる。
この冷媒蒸気は図中矢印で示すように、開閉弁１７ｂを経て凝縮器１１に入る。そして該冷媒蒸気は、凝縮器１１において伝熱管１４内を流れる冷却水供給系統６の冷却水と熱交換をして凝縮し、この凝縮液は冷媒供給管１６を通って膨張弁１５に至り、該膨張弁１５にて膨張、減圧されて蒸発器１０に送り込まれる。このようにして、前記吸着剤熱交換器３ｂ側において吸着剤の再生が行われる。
【０００６】
該蒸発器１０においては、前記膨張弁１５を経た減圧凝縮液と冷水系統１２の水とを熱交換することにより該減圧凝縮液を蒸発、気化して冷媒蒸気とするとともに、冷水系統１２の水は冷却、降温されて図示しない冷却負荷側に送られる。
一方、吸着器としての吸着剤熱交換器３ａでは、吸着剤は前のバッチサイクルにおいて前述と同様な再生が行われているため、制御弁１８ａを介して蒸発器１０内の冷媒蒸気を吸引して吸着する。
即ち、この吸着反応で吸着剤に発生する吸着熱を、切換弁８ａ、８ｂを経て冷却水供給系統６から供給される冷却水で奪うことによって、前記蒸発器１０内の冷媒蒸気を吸引して吸着剤に吸着する吸着作用がなされる。
【０００７】
【特許文献１】
特開平５−２７２８３３号公報
【０００８】
【発明が解決しようとする課題】
特許文献１記載の技術を含む従来技術にあっては、前記のように、吸着剤が収納された２つの吸着剤熱交換器３ａ、３ｂを交互に作動させて該吸着剤熱交換器３ａ、３ｂ内の吸着剤と凝縮器１１〜蒸発器１０間を流動する冷媒とを吸着、脱着せしめるように構成されている。
このため、かかる従来技術にあっては、吸着剤熱交換器３ａ、３ｂにおける吸着剤の吸着量が単位時間当たり一定とならないため、冷水系統１２から取り出して冷却負荷に供給される冷水の温度が一定とならず、一定温度の冷水を得るには該冷水を収容するタンクが必要となり、装置が大型化するとともに装置コストも上昇する。
【０００９】
また、かかる従来技術にあっては、吸着剤を保管するための吸着槽を２個必要とするため、この面からも装置が大型化するとともに装置コストも上昇する。
さらには、前記吸着槽内に装着される吸着剤熱交換器モジュールは製作に多くの工数を要するため、装置の製作コストが上昇する。
等の問題点を有している。
【００１０】
本発明はかかる従来技術の課題に鑑み、冷却負荷に供給される冷水の温度を一定化して冷水収容タンクを不要とし、吸着剤の保管設備を簡単、小型化し、さらには吸着剤熱交換器モジュールの製作工数を低減可能として、小型で低コストの吸着式冷凍機及びその運転方法を提供することを目的とする。
【００１１】
【課題を解決するための手段】
本発明はかかる目的を達成するもので、その第１発明は、固体の吸着剤と冷媒との間の可逆反応に伴う発熱、吸熱現象を利用し、温水等の温熱源から供給される温熱を熱源として冷熱を発生させる吸着式冷凍機において、前記吸着剤に冷媒を吸着して冷媒付着吸着剤を形成せしめる吸着槽と、該吸着槽とは別個に設置されて前記冷媒付着吸着剤の冷媒と吸着剤とを分離せしめる脱着槽と、前記吸着槽と脱着槽とを接続し前記吸着槽から冷媒付着吸着剤を脱着槽に搬送する搬送管路とを備えてなることを特徴とする。
【００１２】
かかる第１発明において好ましくは、蒸発器にて蒸発した低圧冷媒蒸気を前記吸着槽に導く低圧冷媒管路と、前記脱着槽にて吸着剤と分離せしめられた高圧冷媒蒸気を凝縮器に導く高圧冷媒管路とを備えてなる。
【００１３】
また第１発明において好ましくは、前記吸着槽と脱着槽とを接続する搬送管路を、前記冷媒付着吸着剤を該吸着槽から脱着槽へ搬送する吸着剤搬入管路と、前記冷媒と分離した吸着剤を脱着槽から吸着槽へ戻す吸着剤戻し管路とにより構成し、前記吸着剤搬入管路を前記吸着槽内から前記脱着槽内に分離反応用の温水を供給する温水供給路と兼用するとともに、前記吸着剤戻し管路を前記脱着槽内から前記吸着槽内に吸着反応用の冷却水を供給する冷却水供給路と兼用する。
【００１４】
また第１発明において好ましくは、前記搬送管路に設けられて該搬送管路を流動する前記冷媒付着吸着剤の搬送量を調整する搬送量調整弁と、蒸発器において前記冷媒の蒸発により冷熱を供給される冷水の温度を検出する冷水温度検出器と、該冷水温度検出器からの前記冷水の温度検出値に基づき前記搬送量調整弁の開度を制御するコントローラとを備えてなる。
【００１５】
第２発明は前記吸着式冷凍機の運転方法、特に吸着剤及び冷媒の使用方法に係り、固体の吸着剤と冷媒との間の可逆反応に伴う発熱、吸熱現象を利用し、温水等の温熱源から供給される温熱を熱源として冷熱を発生させる吸着式冷凍機の運転方法において、吸着槽にて前記吸着剤に冷媒を吸着して冷媒付着吸着剤を形成し、該冷媒付着吸着剤を搬送流体により脱着槽に搬送し、該脱着槽において冷媒付着吸着剤の冷媒と吸着剤との分離を行うことを特徴とする。
【００１６】
かかる第２発明において、前記搬送流体としては、水よりも蒸発圧力が高く、かつ非水溶性であって、かつ吸着剤に吸着されない性質を有する高分子体の流体が好適であり、その１つとして１−ノナノール（Ｃ９Ｈ１９ＯＨ）がある。
【００１７】
また第２発明において好ましくは、蒸発器において前記冷媒の蒸発により冷熱を供給される冷水の温度を検出し、該冷水温度の検出値により前記冷媒付着吸着剤の搬送量を制御する。
【００１８】
かかる発明によれば、吸着槽において、吸着反応で発生する熱を冷却水で奪うことによって、蒸発器内にて蒸発した低圧冷媒蒸気を低圧冷媒管路を通して吸引し、該低圧冷媒蒸気を固体の吸着剤に吸着させて冷媒付着吸着剤を形成し、該冷媒付着吸着剤を搬送流体、具体的には水よりも蒸発圧力が高く非水溶性で吸着剤に吸着されない高分子体からなる搬送流体に乗せて、搬送管路を通して前記吸着槽とは別個に設置された脱着槽に搬入する。
【００１９】
そして脱着槽においては、前記吸着槽内よりも高圧状態にて、前記冷媒付着吸着剤の冷媒と吸着剤との分離反応に必要な熱を温水により供給することによって、該冷媒付着吸着剤の冷媒と吸着剤とを分離する。
前記のようにして吸着剤から分離された高圧の冷媒蒸気は高圧冷媒管路を通して凝縮器に搬送され、該凝縮器において凝縮、液化し、前記蒸発器に搬送される。
また、前記脱着槽において冷媒を分離した吸着剤は前記搬送流体に乗せられて前記吸着槽に還流され、次の吸着作用に供される。
【００２０】
従ってかかる発明によれば、蒸発器からの冷媒と吸着剤とを吸着する吸着槽を、該冷媒と吸着剤とを分離する脱着槽とは別個に設けて吸着作用専用としたので、脱着側の作動に影響されることなく吸着槽における吸着剤の単位時間当たり吸着量が一定となる。
これにより、蒸発器から冷却負荷に供給される冷水の取り出し温度が一定となって、従来技術のような冷水の温度を一定化するためのタンク及びその附帯設備が不要となって、装置が小型化されるとともに装置コストが低減される。
【００２１】
またかかる発明によれば、吸着剤は別個に設けられた吸着槽と脱着槽との間を循環するので、従来技術のような吸着剤を保管するための槽が不要となって、装置が小型化されるとともに装置コストが大幅に低減される。
さらには、冷媒を吸着した吸着剤、あるいは吸着剤のみを搬送流体に乗せて吸着槽と脱着槽との間を循環させるので、吸着槽内及び脱着槽内に熱交換器モジュールは不要となり、装置の製作工数が大幅に少なくなり製作コストが低減される。
【００２２】
また、かかる発明によれば、吸着槽における吸着反応用の冷却水として、脱着槽において前記冷媒付着吸着剤の冷媒と吸着剤との分離反応を行わせる際に使用されて降温された温水を脱着槽から吸着槽に循環させて使用することが可能となるとともに、また脱着槽における冷媒と吸着剤との分離反応用の温水として、吸着槽において吸着反応で発生する熱を奪うことによって昇温された冷却水を吸着槽から脱着槽に循環させて使用することが可能となる。
これにより、冷媒付着吸着剤あるいは吸着剤の搬送管路を、吸着槽への冷却水供給管路及び脱着槽への温水供給管路と共用できて、装置が小型コンパクトとなる。
【００２３】
尚、前記吸着槽〜脱着槽間の循環水は、前記吸着剤及び搬送流体と同一の管内を流すようにしても、吸着剤及び搬送流体の搬送管路とは別個に設けた循環管路を循環させてもよい。
【００２４】
【発明の実施の形態】
以下、本発明を図に示した実施例を用いて詳細に説明する。但し、この実施例に記載される構成部品の寸法、形状、その相対配置などは特に特定的な記載がない限り、この発明の範囲をそれのみに限定する趣旨ではなく単なる説明例に過ぎない。
【００２５】
図１は本発明の実施例に係る吸着式冷凍機の全体構成図である。
図１において、１０は冷却負荷（図示省略）に接続されている冷水管３３に連なる伝熱管１０ａを備えた蒸発器、１１は冷却水供給管３４に連なる伝熱管１１ａを備えた凝縮器で、該凝縮器１１の冷媒液溜めと蒸発器１０の蒸発空間とは膨張弁１５が介装された冷媒管１６により接続されている。
３１は前記蒸発器１０内の冷媒液溜めと該蒸発器１０内の蒸発空間とを接続する散水管、３２は該散水管３１に設置された循環ポンプである。
【００２６】
２１は吸着槽で、前記蒸発器１０の蒸発空間と冷媒管２９により接続されて、前記蒸発器１０にて蒸発した低圧冷媒が導入され、該低圧冷媒をシリカゲル、ゼオライト、活性炭等の固体吸着剤に吸着して冷媒付着吸着剤を形成せしめるものである。２２は前記吸着槽２１とは別個に設置され前記吸着槽２１からの前記冷媒付着吸着剤の冷媒と吸着剤とを分離せしめる脱着槽で、その蒸気出口は冷媒管３０を介して前記凝縮器１１に接続されている。
【００２７】
２３は前記吸着槽２１の下部液溜め部と前記脱着槽２２の上部空間とを接続する吸着剤搬入管、２４は前記脱着槽２２の下部液溜め部と前記吸着槽２１の上部空間とを接続する吸着剤戻し管である。
２７は前記吸着剤搬入管２３に設置されて該吸着剤搬入管２３内を通流する前記冷媒付着吸着剤の搬送量を制御する搬送量調整弁、２５は該冷媒付着吸着剤を脱着槽２２に搬入する搬送ポンプである。
２８は前記吸着剤戻し管２４に設置されて該吸着剤戻し管２４内を通流する吸着剤の搬送量を制御する搬送量調整弁、２６は該吸着剤を吸着槽２１に戻す搬送ポンプである。
４２は前記蒸発器１０出口の冷水温度を検出する冷水温度センサ、４１はコントローラで、該コントローラ４１には前記冷水温度センサ４２から蒸発器１０出口の冷水温度の検出値が入力され、該検出値に基づき後述する制御を行い前記搬送量調整弁２７及び２８の開度つまり通路面積を調整するようになっている。
【００２８】
かかる吸着式冷凍機の稼働時において、前記蒸発器１０においては、前記凝縮器１１から冷媒管１６を通り膨張弁１５にて減圧された減圧冷媒液と冷水管３３からの水とを伝熱管１０ａを介して熱交換することにより、該減圧冷媒液を蒸発、気化して低圧冷媒蒸気とするとともに、冷水管３３からの冷水は冷却、降温されて図示しない冷却負荷側に送られる。
【００２９】
一方、前記吸着槽２１においては、吸着反応で発生する熱を、脱着槽２２から吸着剤とともに吸着剤戻し管２４を通って該吸着槽２１に戻される分離反応供用後の降温温水からなる冷却水で奪うことによって、該蒸発器１０内にて蒸発した前記低圧冷媒蒸気を冷媒管２９を通して吸引し、該低圧冷媒蒸気を固体の吸着剤に吸着させて冷媒付着吸着剤を形成する。
そして、該冷媒付着吸着剤は、搬送ポンプ２５により搬送流体に乗せて、吸着剤搬入管２３及び搬送量調整弁２７を通して前記吸着槽２１とは別個に設置された脱着槽２２に搬入される。
前記搬送流体としては、水よりも蒸発圧力が高く、非水溶性で吸着剤に吸着されない性質を備えた高分子体からなる流体が好適であり、その１つとして１−ノナノール（Ｃ９Ｈ１９ＯＨ）がある。
この際において、前記吸着槽２１において吸着反応で発生する熱により昇温された冷却水が、前記冷媒付着吸着剤及び搬送流体とともに前記吸着剤搬入管２３を通って前記脱着槽２２に搬入される。
【００３０】
そして脱着槽２２においては、前記搬送ポンプ２５によって前記吸着槽２１内よりも高圧状態にて、前記冷媒付着吸着剤の冷媒と吸着剤との分離反応に必要な熱を前記吸着槽２１からの温水（昇温冷却水）により供給することによって、該冷媒付着吸着剤から冷媒蒸気を分離する。
このようにして吸着剤から分離された高圧の冷媒蒸気は高圧の冷媒管３０を通して凝縮器１１に搬送され、該凝縮器１１において冷却水管３４からの冷却水によって伝熱管１１ａを介して凝縮、液化し、前記冷媒管１６から膨張弁１５を経て蒸発器１０に搬送される。
【００３１】
また、前記脱着槽２２において冷媒を分離した吸着剤は、搬送ポンプ２６により、搬送流体に乗せられて、前記吸着剤戻し管２４及び搬送量調整弁２８を通って前記吸着槽２１に還流され、次の吸着作用に供される。
この際において、脱着槽２２において分離反応のための熱を放出して降温された温水が、前記冷媒付着吸着剤及び搬送流体とともに前記吸着剤戻し管２４を通って前記吸着槽２１に搬入される。
【００３２】
前記のように、かかる実施例によれば、吸着槽２１における吸着反応用の冷却水として、脱着槽２２において前記冷媒付着吸着剤の冷媒と吸着剤との分離反応を行わせる際に使用されて降温された温水を、該脱着槽から吸着剤戻し管２４を通して吸着槽２１に循環させ使用することが可能となるとともに、また該脱着槽２２における冷媒と吸着剤との分離反応用の温水として、吸着槽２１において吸着反応で発生する熱を奪うことによって昇温された冷却水を、該吸着槽２１から吸着剤搬入管２３を通して脱着槽２２に循環させて使用することが可能となる。これにより、冷媒付着吸着剤あるいは吸着剤の搬送管路つまり前記吸着剤戻し管２４及び吸着剤搬入管２３を、吸着槽２１への冷却水供給管路及び脱着槽への温水供給管路と共用できて、装置が小型コンパクトとなる。
【００３３】
従ってかかる実施例によれば、蒸発器１０からの冷媒と吸着剤とを吸着する吸着槽２１を該冷媒と吸着剤とを分離する脱着槽２２とは別個に設けて吸着作用専用としたので、吸着槽２１における吸着剤の単位時間当たり吸着量が、脱着側の作動に影響されることなく常時一定となる。
これにより、蒸発器１０から冷却負荷に供給される冷水の取り出し温度が常時一定に保持される。
【００３４】
また、前記冷水温度センサ４２からの冷水温度検出値は前記コントローラ４１に入力される。該コントローラ４１においては、前記冷水温度に対応して設定された冷媒付着吸着剤の流量になるように前記搬送量調整弁２７の開度を制御するとともに、前記冷水温度に対応して設定された吸着剤の戻し流量になるように前記搬送量調整弁２８の開度を制御する。
これにより、予め設定された冷水温度になるように吸着剤と冷媒との吸着がなされることとなり、冷水の取り出し温度が常時一定となる。
【００３５】
【発明の効果】
以上記載のごとく本発明によれば、蒸発器からの冷媒と吸着剤とを吸着する吸着槽を該冷媒と吸着剤とを分離する脱着槽とは別個に設けて吸着作用専用としたので、脱着側の作動に影響されることなく吸着槽における吸着剤の単位時間当たり吸着量が一定となり、これにより蒸発器から冷却負荷に供給される冷水の取り出し温度が一定となって、従来技術のような冷水の温度を一定化するためのタンク及びその附帯設備が不要となって、装置を小型化できるとともに装置コストが低減される。
【００３６】
また本発明によれば、吸着剤は別個に設けられた吸着槽と脱着槽との間を循環するので、従来技術のような吸着剤を保管するための槽が不要となって、装置を小型化できるとともに装置コストを大幅に低減できる。
さらには、冷媒を吸着した吸着剤、あるいは吸着剤のみを搬送流体に乗せて吸着槽と脱着槽との間を循環させるので、吸着槽内及び脱着槽内に熱交換器モジュールは不要となり、装置の製作工数を大幅に少なくでき製作コストを低減できる。
【００３７】
また、本発明によれば、吸着槽における吸着反応用の冷却水として、脱着槽において前記冷媒付着吸着剤の冷媒と吸着剤との分離反応を行わせる際に使用されて降温された温水を脱着槽から吸着槽に循環させて使用することが可能となるとともに、また脱着槽における冷媒と吸着剤との分離反応用の温水として、吸着槽において吸着反応で発生する熱を奪うことによって昇温された冷却水を吸着槽から脱着槽に循環させて使用することが可能となる。
これにより、冷媒付着吸着剤あるいは吸着剤の搬送管路を、吸着槽への冷却水供給管路及び脱着槽への温水供給管路と共用できて、装置が小型コンパクトとなる。
【図面の簡単な説明】
【図１】本発明の実施例に係る吸着式冷凍機の全体構成図である。
【図２】従来技術に係る吸着式冷凍機の全体構成図である。
【符号の説明】
１０  蒸発器
１１  凝縮器
１５  膨張弁
１６、２９、３０  冷媒管
２１  吸着槽
２２  脱着槽
２３  吸着剤搬入管
２４  吸着剤戻し管
２５、２６  搬送ポンプ
２７、２８  搬送量調整弁
３３  冷水管
４１  コントローラ
４２  冷水温度センサ
【図１】
2004232928.tif 000003
【図２】
2004232928.tif 000004
【手続補正書】
【提出日】平成16年1月15日(2004.1.15)
【手続補正１】
【補正対象書類名】明細書
【補正対象項目名】００１６
【補正方法】変更
【補正の内容】
【００１６】
かかる第２発明において、前記搬送流体としては、水よりも蒸発圧力が高く、かつ非水溶性であって、かつ吸着剤に吸着されない性質を有する高分子体の流体が好適であり、その１つとして１−ノナノール（Ｃ９Ｈ１９ＯＨ）がある。
尚、水等の液体に吸着し難くかつ蒸気等の気体を吸着する吸着剤を用いる場合には、前記搬送流体として水を用いることができる。
【手続補正２】
【補正対象書類名】明細書
【補正対象項目名】００２９
【補正方法】変更
【補正の内容】
【００２９】
一方、前記吸着槽２１においては、吸着反応で発生する熱を、脱着槽２２から吸着剤とともに吸着剤戻し管２４を通って該吸着槽２１に戻される分離反応供用後の降温温水からなる冷却水で奪うことによって、該蒸発器１０内にて蒸発した前記低圧冷媒蒸気を冷媒管２９を通して吸引し、該低圧冷媒蒸気を固体の吸着剤に吸着させて冷媒付着吸着剤を形成する。
そして、該冷媒付着吸着剤は、搬送ポンプ２５により搬送流体に乗せて、吸着剤搬入管２３及び搬送量調整弁２７を通して前記吸着槽２１とは別個に設置された脱着槽２２に搬入される。
前記搬送流体としては、水よりも蒸発圧力が高く、非水溶性で吸着剤に吸着されない性質を備えた高分子体からなる流体が好適であり、その１つとして１−ノナノール（Ｃ９Ｈ１９ＯＨ）がある。
また、水等の液体に吸着し難くかつ蒸気等の気体を吸着する吸着剤を用いる場合には、前記搬送流体として水を用いてもよい。
この際において、前記吸着槽２１において吸着反応で発生する熱により昇温された冷却水が、前記冷媒付着吸着剤及び搬送流体とともに前記吸着剤搬入管２３を通って前記脱着槽２２に搬入される。